(57)【要約】【課題】シャーシベース組立体と、これを適用した平板表示装置を提供する。【解決手段】前面及び背面パネルが結合されて画像を具現するパネル組立体と、パネル組立体の後方に配置されたシャーシベースと、シャーシベースの後方に設置された駆動回路部と、シャーシベースと駆動回路部との間に配置された複数の回路素子と、回路素子のうち発熱素子の外面に取り付けられたヒートシンクとを備えたシャーシベース組立体と、パネル組立体とシャーシベース組立体とを共に収容するケースと、を備える平板表示装置。これにより、熱が多く発生する回路素子がシャーシベースと駆動回路部との間に配置され、回路素子の外面にヒートシンクが取り付けられているため、回路素子から発生する熱をヒートシンクとシャーシベースとに配分して速かに外部に排出できる。【選択図】図１
2006251791.tif 000002
【特許請求の範囲】
【請求項１】
シャーシベースと、
前記シャーシベースの後方に設置された駆動回路部と、
前記シャーシベースと駆動回路部との間に配置され、前記駆動回路部に実装されたヒートシンクを備える回路素子と、を備えることを特徴とするシャーシベース組立体。
【請求項２】
前記シャーシベースの表面には、吸音材がさらに設置されたことを特徴とする請求項１に記載のシャーシベース組立体。
【請求項３】
前記シャーシベースの表面には、除振材がさらに設置されたことを特徴とする請求項１に記載のシャーシベース組立体。
【請求項４】
前記シャーシベースの表面には、吸音材と除振材とが複層構造で設置されたことを特徴とする請求項１に記載のシャーシベース組立体。
【請求項５】
前記ヒートシンクの少なくとも一部分は、シャーシベース、吸音材又は除振材の表面に接触して設置されたことを特徴とする請求項２ないし４のうちいずれか１項に記載のシャーシベース組立体。
【請求項６】
前記ヒートシンクは、前記シャーシベースに対して所定間隔離れて配置されたことを特徴とする請求項１に記載のシャーシベース組立体。
【請求項７】
前面及び背面パネルが結合されて画像を具現するパネル組立体と、
前記パネル組立体の後方に配置されたシャーシベースと、前記シャーシベースの後方に設置された駆動回路部と、前記シャーシベースと駆動回路部との間に配置された複数の回路素子と、前記回路素子のうち発熱素子の外面に取り付けられたヒートシンクとを備えたシャーシベース組立体と、
前記パネル組立体とシャーシベース組立体とを共に収容するケースと、を備えることを特徴とする平板表示装置。
【請求項８】
前記シャーシベースには、前記駆動回路部に対して対向する外面に吸音材又は除振材のうち少なくともいずれか一つが取り付けられたことを特徴とする請求項７に記載の平板表示装置。
【請求項９】
前記ヒートシンクは、前記シャーシベース、吸音材又は除振材のうちいずれか一つの外面に接触するように設置されたことを特徴とする請求項８に記載の平板表示装置。
【請求項１０】
前記ヒートシンクは、前記シャーシベースの外面に対して所定間隔離れて配置されたことを特徴とする請求項７に記載の平板表示装置。
【発明の詳細な説明】
【技術分野】
【０００１】
本発明は、平板表示装置に係り、より詳細には、パネル組立体の駆動中に発生するノイズを減らすためにシャーシベースと駆動回路部とが結合される構造の改善されたシャーシベース組立体と、これを適用した平板表示装置に関する。
【背景技術】
【０００２】
一般的に、平板表示装置は発光型と受光型とに大別できる。発光型には、平板陰極線管と、プラズマディスプレイパネル（以下、ＰＤＰ）と、電界発光表示装置と、発光ダイオードなどがある。受光型には、液晶ディスプレイが挙げられる。
【０００３】
このうち、ＰＤＰとは、複数の基板上に複数の放電電極を形成し、基板間の密閉された放電空間に放電ガスを注入し、各放電電極に所定の電源を印加して放電空間に発生する紫外線によって蛍光体層の蛍光物質を励起させ、これから発光された光を利用して画像を具現する平板表示装置をいう。
【０００４】
従来のＰＤＰは、前面パネルと背面パネルとを含むパネル組立体と、パネル組立体と結合されるシャーシベースと、前記シャーシベースの背面に結合される駆動回路部と、前記駆動回路部上に実装される回路素子とを備えている。
【０００５】
前記のような従来のＰＤＰは、駆動中に回路素子から多くの熱が発生する。特に、スキャンＩＣ、ハイブリッドＩＣのようなＩＣ素子や、ＦＥＴ等から発生した熱が正常に放熱されない場合には誤作動の恐れがある。
【０００６】
このような現象を防止するために、従来の場合には、回路素子の一面にヒートシンクを取り付けて放熱している。また、駆動回路部から発生するノイズを遮断させるために、前記駆動回路部の後方にはノイズプレートが結合されている。
【０００７】
最近は、ノイズプレートが設置された駆動回路部とシャーシベースとの結合構造や、ヒートシンクの位置を変更させて放熱性能を向上させると同時にノイズや振動を減らすような研究開発が行われている。
【発明の開示】
【発明が解決しようとする課題】
【０００８】
本発明は、前記のような問題点を解決するものであり、シャーシベースと駆動回路部との間に回路素子が配置されるように構造が改善されて放熱性能を向上させたシャーシベース組立体と、これを適用した平板表示装置を提供することを目的とする。
【０００９】
本発明の他の目的は、シャーシベースと駆動回路部との間に除振材や吸音材を設けてノイズを減らすことができるシャーシベース組立体と、これを適用した平板表示装置を提供することにある。
【課題を解決するための手段】
【００１０】
前記のような目的を達成するために、本発明の一側面によるシャーシベース組立体は、シャーシベースと、前記シャーシベースの後方に設置された駆動回路部と、前記シャーシベースと駆動回路部との間に配置され、前記駆動回路部に実装されたヒートシンクを備える回路素子と、を備えることを特徴とする。
【００１１】
また、前記シャーシベースの表面には、吸音材がさらに設置されたことを特徴とする。
【００１２】
また、前記シャーシベースの表面には、除振材がさらに設置されたことを特徴とする。
【００１３】
また、前記シャーシベースの表面には、吸音材と除振材とが複層構造で設置されたことを特徴とする。
【００１４】
さらに、前記ヒートシンクの少なくとも一部分は、シャーシベース、吸音材又は除振材の表面に接触して設置されたことを特徴とする。
【００１５】
本発明の他の側面による平板表示装置は、前面及び背面パネルが結合されて画像を具現するパネル組立体と、前記パネル組立体の後方に配置されたシャーシベースと、前記シャーシベースの後方に設置された駆動回路部と、前記シャーシベースと駆動回路部との間に配置された複数の回路素子と、前記回路素子のうち発熱素子の外面に取り付けられたヒートシンクとを備えたシャーシベース組立体と、前記パネル組立体とシャーシベース組立体とを共に収容するケースと、を備えることを特徴とする。
【００１６】
また、前記シャーシベースには、前記駆動回路部に対して対向する外面に吸音材又は除振材のうち少なくともいずれか一つが取り付けられたことを特徴とする。
【００１７】
さらに、前記ヒートシンクは、前記シャーシベース、吸音材又は除振材のうちいずれか一つの外面に接触するように設置されたことを特徴とする。
【発明の効果】
【００１８】
本発明のシャーシベース組立体と、これを適用した平板表示装置とは次のような効果が得られる。
【００１９】
第１に、熱が多く発生する回路素子がシャーシベースと駆動回路部との間に配置され、回路素子の外面にヒートシンクが取り付けられているため、回路素子から発生する熱をヒートシンクとシャーシベースとに配分して速かに外部に排出できる。
【００２０】
第２に、シャーシベースの外面に吸音材や除振材のようなシートが取り付けられているため、駆動中に発生するノイズや振動を未然に防止できる。
【００２１】
第３に、パネル組立体から熱が多く発生する場合には、シャーシベースの外面に設置された吸音材や、除振材のようなシートがシャーシベースから伝えられる熱を駆動回路部に伝達することを遮断するため、駆動回路部に無理を与えない。
【００２２】
第４に、シャーシベース自体が防音板の役割を行うため、駆動回路部に別途に設置されたノイズプレートが要らない。
【発明を実施するための最良の形態】
【００２３】
以下、添付した図面を参照して本発明の望ましい実施形態による平板表示装置を詳細に説明する。
【００２４】
図１は、本発明の一実施形態によるＰＤＰ１００を図示したものである。
【００２５】
図面を参照すれば、前記ＰＤＰ１００は、パネル組立体１０１と、前記パネル組立体１０１の後方に結合されるシャーシベース組立体１１０と、前記パネル組立体１０１の前方に設置されたフィルタ組立体１５０と、前記パネル組立体１０１とシャーシベース組立体１１０とフィルタ組立体１５０とを収容するケース１４０と、を備えている。
【００２６】
前記パネル組立体１０１は、前面パネル１０２と、これと対向して配置された背面パネル１０２とを備えている。前記前面パネル１０１と背面パネル１０２との対向する内面エッジにはフリットガラスが塗布されて、封着された放電空間を密閉する。
【００２７】
前記パネル組立体１０１の後方にはシャーシベース組立体１１０が配置されている。前記シャーシベース組立体１１０は、シャーシベース１２０と、前記シャーシベース１２０の後方に設置された駆動回路部１３０と、前記パネル組立体１０１と駆動回路部１３０とを電気的に接続するフレキシブルプリントケーブル１８０と、を備えている。
【００２８】
前記シャーシベース１２０は、放熱性に優れた金属材からなるプレートであり、前記シャーシベース１２０の背面上下端には強度を補強するためにストリップ状のシャーシ補強部材１６０が取り付けられている。また、前記シャーシベース１２０の上下端部には所定間隔離れて配置され、上下端部をカバーするカバープレート１７０が設置されている。前記駆動回路部１３０には後述される回路素子が複数実装されており、前記フレキシブルプリントケーブル１８０は、パネル組立体１０１の各電極端子と駆動回路部１３０との間に接続されて、これらの電気的信号を相互伝達している。
【００２９】
前記パネル組立体１０１の前方にはフィルタ組立体１５０が設置されている。前記フィルタ組立体１５０は、駆動中にパネル組立体１０１から発生する電磁気波や、赤外線や、外光の反射を遮断するために設置されている。
【００３０】
前記ケース１４０は、前記フィルタ組立体１５０の前方に設置されたフロントキャビネット１４１と、前記シャーシベース組立体１１０の後方に設置されたカバーバック１４２とから形成されている。前記カバーバック１４２の上下端には複数のベントホール１４３が形成されている。
【００３１】
一方、前記フィルタ組立体１５０の背面にはフィルタホルダー１９０が設置されている。前記フィルタホルダー１９０は、前記フロントキャビネット１４１に対してフィルタ組立体１５０を加圧するプレス部１９１と、前記プレス部１９１からパネル組立体１０１が設置された方向に折り曲げられたフィックス部１９２と、を備えている。そして、前記フロントキャビネット１４１の背面にはフィルタ装着部１９３が設置されている。前記フィルタ装着部１９３には前記フィックス部１９２が対向して位置しており、螺合によって前記フロントキャビネット１４１に対してフィルタ組立体１５０を固定している。
【００３２】
ここで、前記シャーシベース１２０と駆動回路部１３０との間には、駆動回路部１３０に実装されたヒートシンクを備える回路素子が配置されている。
【００３３】
より詳細には、図２を参照して説明すれば、次の通りである。
【００３４】
以下、前述した図面と同じ参照番号は同じ機能を行う同じ部材を示す。
【００３５】
図面を参照すれば、前記パネル組立体１０１の背面には接着手段２１０によってシャーシベース１２０が結合されている。前記シャーシベース１２０は、パネル組立体１０１に対して平行に配置された平板部１２１と、前記平板部１２１の上下端からパネル組立体１０１が配置された側とは逆方向に折り曲げられた折り曲げ部１２２と、を備えている。
【００３６】
このとき、接着手段２１０は、前記背面パネル１０３と平板部１２１との間に介在されるシリコンシートのような接着性の放熱シート２１１と、前記放熱シート２１１のエッジに沿って取り付けられた両面テープ２１２と、を備えている。
【００３７】
前記シャーシベース１２０とカバープレート１７０との間に配置されたフレキシブルプリントケーブル１８０は、複数の駆動ＩＣ１８１と、前記駆動ＩＣ１８１と接続された配線１８２と、前記配線１８２を埋め込む柔軟性を持つフィルム１８３と、を備えている。
【００３８】
前記フレキシブルプリントケーブル１８０の一端は、パネル組立体１０１の各電極端子と電気的に接続されており、他端は、駆動回路部１３０に設置されたコネクタ２３０に接続されている。
【００３９】
また、前記駆動ＩＣ１８１は、シャーシ補強部材１６０とカバープレート１７０との間に配置され、前記シャーシ補強部材１６０と駆動ＩＣ１８１との間にはサーマルグリース２２１が介在され、前記駆動ＩＣ１８１とカバープレート１７０との間には熱伝導シート２２２が介在されている。
【００４０】
ここで、前記シャーシベース１２０と駆動回路部１３０との間には複数の回路素子１３１が配置されている。前記回路素子１３１は、駆動回路部１３０に実装され、前記シャーシベース１２０の背面に向かって（背面側に）配置されている。
【００４１】
このとき、熱が多く発生するＦＥＴや、各種ＩＣのような回路素子１３１の一面にはヒートシンク１３２が取り付けられている。前記ヒートシンク１３２は、少なくとも一部分がシャーシベース１２０に接触するように配置されて、駆動中回路素子１３１から発生する熱をシャーシベース１２０を経由して外部に排出させている。このように、発熱が激しい回路素子１３１から発生した熱は、ヒートシンク１３２とシャーシベース１２０とに配分して放熱させることによって、放熱性能がさらに向上する。
【００４２】
代案としては、前記ヒートシンク１３２がシャーシベース１２０から所定間隔離れて設置されることもある。これは、駆動中にパネル組立体１０１から発生した熱がシャーシベース１２０に過多に伝えられる場合、逆に、シャーシベース１２０に伝えられた熱がシャーシベース１２０とヒートシンク１３２とを経て駆動回路部１３０に影響を及ぼす虞があるからである。
【００４３】
このようなことを防止するために、前記シャーシベース１２０とヒートシンク１３２との間には、吸音材や除振材のようなシート２４０がさらに設置されることができる。すなわち、前記シャーシベース１２０には吸音材からなる単一層のシートや、除振材からなる単一層のシートや、吸音材と除振材とが順次に積層された複数層のシートが取り付けられることができる。このような吸音材や除振材からなるシート２４０がシャーシベース１２０の外面に取り付けられている場合には、ヒートシンク１３２の一端部の外面が前記シート２４０の表面に接触する。
【００４４】
これにより、発熱の多い回路素子１３１から発生した熱はヒートシンク１３２を通じて排出されると同時に、シャーシベース１２０から発生する熱は前記シート２４０によって回路素子１３１に伝達されずに遮断される。これと同時に、前記シート２４０がシャーシベース１２０の外面に取り付けられることによって、ノイズ及び振動も遮断できる。
【００４５】
本発明は図面に図示された実施形態を参考にして説明されたが、これは例示的なものに過ぎず、当業者ならばこれより多様な変形及び均等な他の実施形態が可能であるという点を理解できる。したがって、本発明の真の技術的保護範囲は、特許請求の範囲の技術的思想によって定められねばならない。
【産業上の利用可能性】
【００４６】
本発明は、シャーシベースと駆動回路部との間に回路素子を配置したシャーシベース組立体と、これを適用した平板表示装置とを提供して、回路素子から発生する熱をヒートシンクとシャーシベースとに配分して速かに外部に排出することができる。
【図面の簡単な説明】
【００４７】
【図１】本発明の一実施形態によるプラズマ表示装置組立体を示す展開斜視図である。
【図２】図１のプラズマ表示装置組立体が組み立てられた状態を示す断面図である。
【符号の説明】
【００４８】
１００  ＰＤＰ
１０１  パネル組立体
１０２  前面パネル
１０３  背面パネル
１１０  シャーシベース組立体
１２０  シャーシベース
１３０  駆動回路部
１４０  ケース
１４１  フロントキャビネット
１４２  カバーバック
１４３  ベントホール
１５０  フィルタ組立体
１６０  シャーシ補強部材
１７０  カバープレート
１８０  フレキシブルプリントケーブル
１９０  フィルタホルダー
１９１  プレス部
１９２  フィックス部
１９３  フィルタ装着部
【図１】
2006251791.tif 000003
【図２】
2006251791.tif 000004